(57)【要約】      （修正有）【課題】創造的な花芸とライトアップ効果を組み合わせた草花の照明システムを提供する。【解決手段】草花の照明システムは、荷台２０と、少なくとも１つの草花４０を利用して荷台とを組み合わせて組成される創造的な花芸５０（ｃｒｅａｔｉｖｅ  ｆｌｏｒａｌ  ａｒｒａｎｇｅｍｅｎｔｓ）と、少なくとも１つの発光ダイオード（ＬＥＤ）モジュール３０と、給電裝置と、を含み、ＬＥＤモジュールに巻き付き又は穿設の方式で草花と一体的に結合される少なくとも１つの導線ユニット３４が設けられ、外部に設置される電子デバイスと無線制御ユニット３２を介してＬＥＤモジュールの灯光の色、電源スイッチ、及び発光モードなどの機能を操作し、各ＬＥＤモジュールで創造的な花芸に異なるライトアップの動的効果を表示させる。【選択図】図３
0003229843.tif 000002
【実用新案登録請求の範囲】
【請求項１】
荷台と、少なくとも１つの草花と、少なくとも１つの発光ダイオードモジュールと、給電裝置と、を含み、
該荷台が収容空間を有し、該収容空間の内に積載部を有し、
少なくとも１つの該草花が実際の草花や造花を含み、フラワーデザイナー又はクライアント側が、各の草花の底部を該荷台の該収容空間の内にある該積載部の上に配列して固定し、各の草花を該荷台の該収容空間より外へ表示させ、各の草花と該荷台とを組み合わせて花芸の創造力のある効果を有する創造的な花芸を組成し、
少なくとも１つの該発光ダイオードモジュールが該荷台の該積載部の上に設置され、少なくとも１つの発光ダイオードと、少なくとも１つの該発光ダイオードに発光用電力を提供する少なくとも１つの電源ユニットと、クライアント側が外部に設置される電子デバイスを介して無線制御の方式で該発光ダイオードモジュールの灯光の色、電源スイッチ、及び発光モードの使用機能を操作する少なくとも１つの無線制御ユニットと、該電源ユニットと少なくとも１つの該発光ダイオードとの間に接続される少なくとも１つの導線ユニットと、を含み、
該給電裝置が該発光ダイオードモジュールの該電源ユニットに給電し、
該発光ダイオードモジュールの少なくとも１つの該導線ユニットが巻き付き又は穿設の方式で少なくとも１つの該草花と一体的に結合され、
フラワーデザイナー又はクライアント側が外部から該電子デバイスを制御すると、無線制御の方式で少なくとも１つの該発光ダイオードモジュールの灯光の色、電源スイッチ、及び発光モードの使用機能を操作でき、少なくとも１つの該発光ダイオードモジュールの該発光ダイオードを該創造的な花芸に異なるライトアップ効果を表示させ、創造的な花芸とライトアップ効果を組み合わせた草花の照明システムを形成する創造的な花芸とライトアップ効果を組み合わせた草花の照明システム。
【請求項２】
該給電装置が誘導型無線給電装置であり、該荷台が該誘導型無線給電装置の上面に設けられ、少なくとも１つの該発光ダイオードモジュールの該電源ユニットがさらに誘導型無線電源ユニットであり、該誘導型無線電源ユニットを電磁誘導の方式により該誘導型無線給電装置に対して誘導型無線充電を行うことを特徴とする請求項１に記載の草花の照明システム。
【請求項３】
該荷台の該積載部が該収容空間の底部に設けられ、該積載部が固定平板ブロックを含み、該固定平板ブロックの上に該誘導型無線電源ユニットが挿入される複数の孔を有することを特徴とする請求項２に記載の草花の照明システム。
【請求項４】
該荷台の該積載部が該収容空間の底部に設けられ、、該積載部が発泡体を含み、該発泡体の上に該誘導型無線電源ユニットが挿入される複数の孔を有することを特徴とする請求項２に記載の草花の照明システム。
【請求項５】
該誘導型無線給電装置の内にさらに充電可能な電池が設けられることを特徴とする請求項２に記載の草花の照明システム。
【請求項６】
該荷台の該積載部がさらに該給電装置と一体的に結合され、該給電装置の上面に設けられて剣山型給電装置を形成し、該剣山型給電装置の上にある該積載部が剣山本体を含み、該剣山本体が正極と負極を交差排列される複数の柱状のプラグから構成され、複数の柱状の該プラグが該剣山型給電装置の上面にマトリックス配置に形成されることを特徴とする請求項１に記載の草花の照明システム。
【請求項７】
少なくとも１つの該発光ダイオードモジュールの該電源ユニットがさらに電源ソケットユニットであり、該電源ソケットユニットに、該剣山型給電装置の２つの正極と負極の該プラグに対応されて挿入される正極と負極の２つの挿入孔を有し、電源を提供されることを特徴とする請求項１に記載の草花の照明システム。
【請求項８】
該草花がさらに花、花茎、葉片、枝幹、草本、又はこれらのうち任意の２種以上の組み合わせを含むことを特徴とする請求項１に記載の花の照明システム。
【請求項９】
少なくとも１つの該発光ダイオードモジュールの少なくとも１つの該導線ユニットが花のうち、花茎のうち、花茎の上、枝幹の上、又は草本のうちに埋設されることを特徴とする請求項８に記載の草花の照明システム。
【請求項１０】
少なくとも１つの該発光ダイオードモジュールの該発光ダイオードがさらに花のうち、花茎のうち、花茎の上、枝幹の上、又は草本のうちに埋設されることを特徴とする請求項８に記載の草花の照明システム。
【考案の詳細な説明】
【技術分野】
【０００１】
本考案は、草花の照明システムに関し、特に創造的な花芸とＬＥＤのライトアップ効果を組み合わせた草花の照明システムに関する。
【背景技術】
【０００２】
現在、市場に草花とライトとを組み合わせて使用??される草花の造形のイルミネーションに関する技術がすでに存在しており、米国ＵＳ  Ｄ４５３，３９０のデザイン特許のように、造花の造形（例えば、タンポポである）を電球と組み合わせて草花の造形のイルミネーションを形成するが、米国ＵＳ  Ｄ４５３，３９０に開示されている草花の造形のイルミネーションに関し、その外観の造形が製造側に製造完了後に定型化されているため、クライアント側（例えば、使用者や消費者側である）が使用する時、クライアント側が異なる草花の造形やライトアップ効果を自分で変更したり選択したりできず、そこで、米国ＵＳ  Ｄ４５３，３９０ではクライアント側からの革新と変化の需要が応えられなくなる。さらに、例えば、米国ＵＳ５，０６３，４８５の特許にも、中空容器の内に複数の造花を配置する台座（ｐｌａｔｆｏｒｍ）が設けられ、複数の低圧ランプ（ｌｏｗ  ｖｏｌｔａｇｅ  ｌａｍｐ）を導線の方式で各の造花又は造花ロッドに巻き付けられる又は配置され、各の導線の他の一端がさらに該中空容器の外壁にある穿孔を通って外部電源に接続される照明付き造花（ｉｌｌｕｍｉｎａｔｅｄ  ａｒｔｉｆｉｃｉａｌ  ｆｌｏｗｅｒｓ）が開示されているが、米国ＵＳ５，０６３，４８５に開示されている草花の造形のイルミネーションが低圧ランプ、導線、及び造花を含み、さらに該中空容器及びその外壁にある穿孔などを含み、製造側に製造完了後に既に定型化されるため、使用する時に、クライアント側（例えば、使用者や消費者側である）も異なる中空容器の外観や各の導線の接続方式を既に自分で変更したり選択したりできないので、米国ＵＳ５，０６３，４８５でもクライアント側からの革新と変化の需要が応えられなくなる。
【０００３】
上記からわかるように、従来の草花の造型のイルミネーションの外観が単調であるだけでなく、クライアント（使用者や消費者側である）の需要や好みに応じて調整又は変更することもできず、さらにその発光モードも設定されてスイッチ機能や点滅機能のみ持ち、消費者側を惹きつけることもその購買意欲を高めることもできないため、従来の草花の造型のイルミネーションが淘汰の運命に直面した。したがって、従来の草花の造型のイルミネーションにはさらなる改善の余地がある。
【先行技術文献】
【特許文献】
【０００４】
【特許文献１】実用新案登録第3126366号公報
【考案の概要】
【課題を解決するための手段】
【０００５】
本考案の目的は、創造的な花芸とライトアップ効果を組み合わせた草花の照明システムを提供することであり、それは荷台と、少なくとも１つの草花と、少なくとも１つの発光ダイオードモジュールと、給電裝置と、を含み、該荷台が収容空間を有し、該収容空間の内に積載部を有し、少なくとも１つの該草花が実際の草花や造花を含み、フラワーデザイナー（ここでは製造側と見なされる）又はクライアント側（使用者や消費者側）が、各の該草花の底部を該荷台の該収容空間の該積載部の上に配列して固定し、各の該草花を該荷台の該収容空間より外へ表示させ、該草花と該荷台とを組み合わせて花芸の創造力のある効果を有する創造的な花芸を組成し、少なくとも１つの該発光ダイオード（ＬＥＤ）モジュールが該荷台の該積載部の上に設置され、少なくとも１つの発光ダイオード（ＬＥＤ）と、少なくとも１つの該発光ダイオード（ＬＥＤ）に発光用電力を提供する少なくとも１つの電源ユニットと、使用者や消費者側が外部に設置される電子デバイスを介して無線制御の方式で該ＬＥＤモジュールの灯光の色、電源スイッチ、及び発光モードの使用機能を操作する少なくとも１つの無線制御ユニットと、該電源ユニットと少なくとも１つの該ＬＥＤとの間に接続される少なくとも１つの導線ユニットと、を含み、該給電裝置が該ＬＥＤモジュールの該電源ユニットに給電し、該ＬＥＤモジュールの少なくとも１つの該導線ユニットが巻き付き又は穿設の方式で少なくとも１つの該草花と一体的に結合され、フラワーデザイナー（ここでは製造側と見なされる）又はクライアント側（使用者や消費者側）が外部から該電子デバイスを制御すると、無線制御の方式で少なくとも１つの該ＬＥＤモジュールの灯光の色、電源スイッチ、及び発光モードの使用機能を操作でき、少なくとも１つの該ＬＥＤモジュールのライトアップ効果を該創造的な花芸に合わせて異なるライトアップの動的効果を表示させ、創造的な花芸とライトアップ効果を組み合わせた草花の照明システムを形成する。
【０００６】
本考案のもう１つの目的は、創造的な花芸とライトアップ効果を組み合わせた草花の照明システムを提供することであり、該創造的な花芸に対し、さらにフラワーデザイナー（ここでは製造側と見なされる）又はクライアント側（使用者や消費者側）で個人の創作的思想や需要や好みに従い、少なくとも１つの該草花の構成内容、使用量、又は陳列方式を選択して手配することで、創造的な花芸の変化性や特殊性を高めるにより、従来の草花の造形のイルミネーションの造形が限られる及び灯光が単調である問題を解決し、クライアント側からの革新と変化の需要が応えられる。
【０００７】
本考案のもう１つの目的は、創造的な花芸とライトアップ効果を組み合わせた草花の照明システムを提供することであり、該草花の照明システムの創造的な花芸及び／又はライトアップ効果に対し、さらにフラワーデザイナー（ここでは製造側と見なされる）で専門的にデザインされ、或いはフラワーデザイナー（ここでは製造側と見なされる）でクライアント側（使用者や消費者側）の需要に合せて専門的にデザインされ、フラワーデザイナー（ここでは製造側と見なされる）がまた専門的にデザインされた草花の照明システムをクライアント側（例えば、使用者や消費者側である）の使用に提供し、該草花の照明システムの創造的な花芸やライトアップ効果をさらにフラワーデザイナーとクライアント側との間に定期的に更新又は保守するサービスモード又は取引システムを確立でき、例としてフラワーデザイナー（ここでは製造側と見なされる）が定期的にクライアント側にそれが購入した該草花の照明システムを保守すること、或いはクライアント側の需要に応じて該創造的な花芸（ｃｒｅａｔｉｖｅ  ｆｌｏｒａｌ  ａｒｒａｎｇｅｍｅｎｔｓ）を定期的に更新し、例えば、少なくとも１つの該草花の構成内容、使用量、又は陳列方式を更新し、或いは該ＬＥＤモジュールの灯光の色や発光モードを更新することが含まれる。
【図面の簡単な説明】
【０００８】
【図１】本考案の実施形態（誘導型無線給電装置を使用する）の組成を示す平面図である。
【図２】図１にある局部を拡大して示す図である。
【図２Ａ】図２にある局部を拡大して示す図である。
【図３】本考案の他の実施形態（剣山型給電装置）の組成を示す平面図である。
【図４】図３にある局部を拡大して示す分解図である。
【図４Ａ】図４にあるＬＥＤモジュールの電源ソケットユニットの局部を拡大して示す底面図である。
【図４Ｂ】図４にあるＬＥＤモジュールの電源ソケットユニットの局部を拡大して示す側面図である。
【図４Ｃ】図４にある剣山型給電装置の局部を拡大して示す上面図である。
【図５】本考案のＬＥＤモジュールの導線が花のうちに埋設される組成を示す平面図である。
【図６】本考案のＬＥＤモジュールの導線が花の外に巻き付かれる組成を示す平面図である。
【図７】図１と図３にある局部を拡大して示す図である。
【図８】図１と図３にある局部を拡大して示す図である。
【図９】本考案の他の実施形態（誘導型無線給電装置を使用する）の組成を示す平面図である。
【図１０】本考案のもう１つの実施形態（誘導型無線給電装置を使用する）の組成を示す平面図である。
【図１１】本考案の草花の照明システムを外部から電子装置で制御する状態を示す図である。
【考案を実施するための形態】
【０００９】
図１、３、９、１０を参照し、本考案に係る創造的な花芸（ｃｒｅａｔｉｖｅ  ｆｌｏｒａｌ  ａｒｒａｎｇｅｍｅｎｔｓ）とライトアップ効果を組み合わせた草花の照明システム１は、荷台２０と、少なくとも１つの草花４０と、少なくとも１つの発光ダイオードモジュール３０と、給電裝置１０と、を含み、該荷台２０と少なくとも１つの該草花４０とを利用し、組み合わせて創造的な花芸５０を組成する。
【００１０】
該荷台２０の形状は制限されず、収容空間２１を有し、該収容空間２１の内に積載部部２２を有する。
【００１１】
少なくとも１つの該草花４０は、実際の草花や造花を含むがこれらに制限されず、フラワーデザイナー（製造側と見なされる）又はクライアント側（例えば、使用者や消費者側である）、特にフラワーデザイナーで専門的にデザインされ、各の草花４０の底部を該荷台２０の該収容空間２１の内にある該積載部２２の上に配列して固定し、各の草花４０を該荷台２０の該収容空間２１より外へ表示させ、組み合わせて花芸の創造力のある効果を有する創造的な花芸５０を組成し、該草花の照明システム１の芸術的価値や空間美を高めるのに役に立つ。
【００１２】
少なくとも１つの該ＬＥＤモジュール３０が該荷台２０の該積載部２２の上に設置され、該ＬＥＤモジュール３０が少なくとも１つのＬＥＤ３５と、少なくとも１つの該ＬＥＤ３５に発光用電力を提供する少なくとも１つの電源ユニット３１と、使用者が外部に設置される電子デバイス３３（図１１に示すように）を介して無線制御の方式で該ＬＥＤモジュール３０（図１１に示すように）の灯光の色、電源スイッチ、及び発光モード（例えば、点滅発光など）の使用機能を操作する少なくとも１つの無線制御ユニット３２と、該電源ユニット３１と少なくとも１つの該ＬＥＤ３５との間に接続される少なくとも１つの導線ユニット３４と、を含む。
【００１３】
該給電裝置１０が該ＬＥＤモジュール３０の該電源ユニット３１に給電する（図２、２Ａの矢印Ａの方向に示すように）。
【００１４】
該ＬＥＤモジュール３０の少なくとも１つの該導線ユニット３４が巻き付き（図２、２Ａの矢印Ａの方向に示すように）又は穿設の方式で、図５に示すように、即ち該導線ユニット３４が該草花４０の内部に穿設され、少なくとも１つの該草花４０と一体的に結合される。
【００１５】
本考案に係る草花の照明システム１が使用されると、フラワーデザイナー又はクライアント側（例えば、使用者や消費者側である）は外部から該電子デバイス３３（図１１に示すように）を制御可能であり、無線制御の方式で少なくとも１つの該ＬＥＤモジュール３０の灯光の色、電源スイッチ、及び発光モードの使用機能を操作でき、少なくとも１つの該ＬＥＤモジュール３０の該ＬＥＤ３５を該荷台の上にある該創造的な花芸に合わせて異なるライトアップの動的効果を表示させ、創造的な花芸とライトアップ効果を組み合わせた草花の照明システムを形成する。
【００１６】
図１、３に示すように、該草花が花４１、花茎４２、葉片４３、枝幹４４、草本４５、又はこれらのうち任意の２種以上の組み合わせを含むが、本考案を制限するものではない。
【００１７】
図１、３に示すように、少なくとも１つの該ＬＥＤモジュール３０の少なくとも１つの該導線ユニット３４が花４１のうち、花茎４２のうち、花茎４２の上、枝幹４４の上、又は草本４５のうちに埋設されるが、本考案を制限するものではない。
【００１８】
図１、３に示すように、少なくとも１つの該ＬＥＤモジュール３０の該ＬＥＤ３５が花４１の上、花茎４２の上、葉片４３の上、枝幹４４の上、又は草本４５のうちに穿設されるが、本考案を制限するものではない。
【００１９】
該荷台２０は皿、碗、瓶、甕、筒、及びかごを含むが、これらに制限されず、該草花の照明システム１の変化性や多様性を高めるのに役に立つ。
【００２０】
図１、２、２Ａ、９、１０に示すように、該給電装置１０が誘導型無線給電装置１０ａであると、該荷台２０が該誘導型無線給電装置１０ａの上面に設けられ、少なくとも１つの該ＬＥＤモジュール３０の該電源ユニット３１が誘導型無線電源ユニット３１ａであり、該誘導型無線電源ユニット３１ａを電磁誘導の方式により該誘導型無線給電装置１０ａに対して誘導型無線充電を行う（図２、２Ａの矢印Ａの方向に示すように）。
【００２１】
さらに、該荷台２０の該積載部２２が該収容空間２１の底部に設けられ、該積載部２２が固定平板ブロック２２１（図１に示すように）又はが発泡体２２２（図１に示すように）を含むが、これらに制限されない。
【００２２】
図１、２Ａに示すように、該積載部２２が固定平板ブロック２２１であると、該固定平板ブロック２２１の上に該誘導型無線電源ユニット３１ａが挿入されて固定される複数の孔２２３を有する。
【００２３】
図１、２Ａに示すように、該積載部２２が発泡体２２２であると、該発泡体２２２の上に、固定するように該誘導型無線電源ユニット３１ａが挿入される複数の孔２２３を有し、該発泡体２２２にはいくつもの気孔を有するため吸水性と通気性を有し、該発泡体２２２が吸湿すると、その上に配置された少なくとも１つの該草花４０（実際の草花）へ水分を供給でき、該草花４０の底部に呼吸を維持させる。
【００２４】
さらに、該誘導型無線給電装置１０ａの内にさらに充電可能な電池１１が設けられるが、これに制限されず、該草花の照明システムに電力の提供がない環境でも使用状態を維持させる。
【００２５】
図３から図４Ｃまでを参照し、該給電装置１０が剣山型給電装置１０ｂであると、該荷台２０の該積載部２２がさらに該給電装置１０と一体的に結合され、該給電装置１０の上面に設けられて剣山型給電装置１０ｂを形成し、該剣山型給電装置１０ｂの上にある該積載部２２が剣山本体を含み、該剣山本体が正極と負極を交差排列される複数の柱状のプラグ２２ａから構成され、複数の柱状の該プラグ２２ａが該剣山型給電装置１０ｂの上面にマトリックス配置に形成され、図４Ｃのように示す。
【００２６】
また図４を参照し、少なくとも１つの該ＬＥＤモジュール３０の該電源ユニット３１がさらに電源ソケットユニット３１ｂを形成し、図４Ａ、図４Ｂに示すように、該電源ソケットユニット３１ｂの下端に正極と負極の２つの挿入孔３６を有し、該電源ソケットユニット３１ｂを正極と負極の２つの該挿入孔３６により、該剣山型給電装置１０ｂにある２つの正極と負極の柱状の該プラグ２２ａに対応されて挿入させ、充電を行う又は電源を提供するようにさせる。
【００２７】
本考案に係る草花の照明システム１が実際に適用される場合、当領域での従来の技術に比べ、次のような利点を具有する。
【００２８】
（１）本考案に使用される荷台２０や草花４０は、種類又は数量の選択に制限されず、従来の草花の造形のイルミネーションの外観が制限されるという問題を効果的に解決することができる。つまり、本考案は創造的な花芸５０とライトアップ効果（３０）を組み合わせた草花の照明システム１であり、特に該創造的な花芸５０がフラワーデザイナー（ここでは製造側と見なされる）又はクライアント側（使用者や消費者側）で個人の創作的思想や需要や好みに従い、少なくとも１つの該草花４０の構成内容、使用量、又は陳列方式を選択して手配するので、相対的に該創造的な花芸５０の変化性や特殊性を高め、従来の草花の造形のイルミネーションでの革新と変化ができない問題を解決できる。
【００２９】
（２）本考案のＬＥＤモジュール３０の使用機能、例えば、灯光の色や発光モードについて、フラワーデザイナー（製造側）又はクライアント側（使用者や消費者側）が外部に設置される電子デバイス３３により（例として携帯にアプリを設定する）該無線制御ユニット３２に対して制御を行い、従来の花芸の造形のイルミネーションでの製造完了後に更新や変化ができない又は難しいという問題を効果的に解決することができる。
【００３０】
（３）本考案に係る草花の照明システム１が実際に適用される場合、該創造的な花芸５０及び／又はライトアップ効果（３０）に対し、さらにフラワーデザイナー（ここでは製造側と見なされる）で専門的にデザインされ、或いはフラワーデザイナー（ここでは製造側と見なされる）でクライアント側（例えば、使用者や消費者側である）の需要に合せて専門的にデザインされ、フラワーデザイナーがまた専門的にデザインされた又は製造された該草花の照明システム１をクライアント側（例えば、使用者や消費者側である）の使用に提供し、該草花の照明システム１の創造的な花芸５０やライトアップ効果（３０）をさらにフラワーデザイナー（ここでは製造側と見なされる）とクライアント側（例えば、使用者や消費者側である）との間に定期的に更新又は保守するサービスモード又は取引システムを確立でき、例としてフラワーデザイナー（ここでは製造側と見なされる）は定期的にクライアント側が購入した該草花の照明システム１を正常の使用状態に保守すること、或いはクライアント側の需要に応じて該創造的な花芸５０を定期的に更新し、例えば、少なくとも１つの該草花４０の構成内容、使用量、又は陳列方式を更新し、或いは該ＬＥＤモジュール３０の灯光の色や発光モードを更新することが含まれることで、クライアント側（例えば、使用者や消費者側である）からの革新と変化の需要が応えられる。
【符号の説明】
【００３１】
１  照明システム
１０  給電装置
１０ａ  誘導型無線給電装置
１０ｂ  剣山型給電装置
１１  充電電池
２０  荷台
２１  収容空間
２２  積載部
２２ａ  プラグ
２２１  固定平板ブロック
２２２  発泡体
２２３  孔
３０  発光ダイオードモジュール
３１  電源ユニット
３１ａ  誘導型電源ユニット
３１ｂ  電源ソケットユニット
３２  無線制御ユニット
３３  電子デバイス
３４  導線ユニット
３５  発光ダイオード
３６  挿入孔
４０  草花
４１  花
４２  花茎
４３  葉片
４４  枝幹
４５  草本
５０  創造的な花芸
【図１】
0003229843.tif 000003
【図２】
0003229843.tif 000004
【図２Ａ】
0003229843.tif 000005
【図３】
0003229843.tif 000006
【図４】
0003229843.tif 000007
【図４Ａ】
0003229843.tif 000008
【図４Ｂ】
0003229843.tif 000009
【図４Ｃ】
0003229843.tif 000010
【図５】
0003229843.tif 000011
【図６】
0003229843.tif 000012
【図７】
0003229843.tif 000013
【図８】
0003229843.tif 000014
【図９】
0003229843.tif 000015
【図１０】
0003229843.tif 000016
【図１１】
0003229843.tif 000017